(57)【特許請求の範囲】
【請求項１】
収納凹部体の開口を塞ぐ左右に隣接する複数の防水扉を備え、各防水扉の基部は収納凹部体に枢着され、収納凹部体内に設けた起倒装置により各防水扉を倒伏位置から起立位置に回動させ、起立位置にある隣接する防水扉間の隙間を閉鎖部材で塞ぐと共に各防水扉の基部の上面を収納凹部体に設けたシール部材に当接させ、起立状態の各防水扉によって水の侵入を防止するようにした防水扉装置において、シール部材を、隣接する防水扉間の隙間に対応する連装部分に位置される高硬度材から成る硬質シール部材と、連装部分以外に位置され、高硬度材より低硬度の低硬度材から成る軟質シール部材とから構成したことを特徴とする防水扉装置。
【請求項２】
高硬度の硬質シール部材は、低硬度の軟質シール部材のシール厚み方向中間位置に硬質ゴムを装着して成ることを特徴とする請求項１記載の防水扉装置。
【発明の詳細な説明】
【技術分野】
【０００１】
本発明は、起立位置にある隣接する防水扉間の隙間を閉鎖部材で塞ぐと共に各防水扉の基部の上面を収納凹部体に設けたシール部材に当接させるようにした防水扉装置に関する。
【背景技術】
【０００２】
従来、防水扉装置には、起立位置にある隣接する防水扉間の隙間を閉鎖部材で塞ぐと共に各防水扉の基部の上面を収納凹部体に設けたシール部材に当接させ、起立状態の各防水扉によって水の侵入を防止するようにしたものが知られている。特許文献１には、起立位置にある隣接する防水扉間の断面Ｖ字状の隙間に、隙間と同一の頂角の断面Ｖ字状であるシール機構のパッキンを押圧することで、前記隙間をシールすることが記載されている。また、前記隙間の頂部に形成されるギャップを介してシール機構のパッキンの頂部を防水扉の表面側に突出させ、その突出部をケース本体に設けたパッキンに押圧することで、隣接する防水扉間の下方にある隙間とパッキンとの間をシールするようになっている。
特許文献２には、起立位置にある隣接する防水扉間の隙間に棒状のゴムブロックを押圧することで、前記隙間をシールすることが記載されている。また、前記隙間からゴムブロックを防水扉の表面側に突出させ、その突出部を収納凹部体に設けたシール部材に押圧することで、隣接する防水扉間の下方にある隙間とシール部材との間をシールするようになっている。
【特許文献１】特開２００５−１２０５９４号公報
【特許文献２】特開２００７−１３８６９８号公報
【発明の開示】
【発明が解決しようとする課題】
【０００３】
上記の特許文献１，２では、図６（ａ）のように、防水扉Ｃの上面をケースや収納凹部体のパッキンやシール部材Ｄに当接させることで、防水扉Ｃ間の下方にある隙間Ｔからパッキンやシール部材Ｄを防水扉Ｃの裏面側に突出させるようになっている（第１突出部Ｄ１）。そして、図６（ｂ）のように、パッキンやゴムブロックＥを起立位置にある隣接する防水扉Ｃ間の下方にある隙間Ｔから表面側に突出させ、その第２突出部Ｅ１を前記第１突出部Ｄ１に押圧させて隙間Ｔをシールするようになっている。ところが、パッキンやゴムブロックＥやシール部材Ｄは同一硬度のものを使用しているために、第１突出部Ｄ１と第２突出部Ｅ１とに生じる反発力が異なり第２突出部Ｅ１が第１突出部Ｄ１を押戻す場合がある。すると、第１突出部Ｄ１と第２突出部Ｅ１との間で確実に密着状態が保てないおそれがあった。
そこで本発明の課題は、上記問題点に鑑み、簡単な構成で、起立位置にある隣接する防水扉の下方にある隙間を確実に密着させるようにした防水扉装置を提供することを目的とする。
【課題を解決するための手段】
【０００４】
本発明は、収納凹部体の開口を塞ぐ左右に隣接する複数の防水扉を備え、各防水扉の基部は収納凹部体に枢着され、収納凹部体内に設けた起倒装置により各防水扉を倒伏位置から起立位置に回動させ、起立位置にある隣接する防水扉間の隙間を閉鎖部材で塞ぐと共に各防水扉の基部の上面を収納凹部体に設けたシール部材に当接させ、起立状態の各防水扉によって水の侵入を防止するようにした防水扉装置において、シール部材を、隣接する防水扉間の隙間に対応する連装部分に位置される高硬度材から成る硬質シール部材と、連装部分以外に位置され、高硬度材より低硬度の低硬度材から成る軟質シール部材とから構成したことを特徴とする。また、高硬度の硬質シール部材は、低硬度の軟質シール部材のシール厚み方向中間位置に硬質ゴムを装着して成ることを特徴とする。
【発明の効果】
【０００５】
本発明では、収納凹部体に設けたシール部材を、隣接する防水扉間の隙間に対応する連装部分に位置される高硬度材から成る硬質シール部材と、連装部分以外に位置され、高硬度材より低硬度の低硬度材から成る軟質シール部材とから構成することで、連装部分から防水扉の裏側へ突出する第２突出部に生じる反発力が高まり、ゴムブロックによる第１突出部が前記第２突出部を押戻すことがないので、第１突出部と第２突出部とを確実に密着させることが可能となる。また、高硬度の硬質シール部材は、低硬度の軟質シール部材のシール厚み方向中間位置に硬質ゴムを装着して成るので、既存のシール部材の連装部分を簡単な構成で安価に高硬度材とすることが可能となる。
【発明を実施するための最良の形態】
【０００６】
図１に示す防水扉装置１は、例えば特開２００７−１３８６９８号公報に記載のように、建物や駐車場等の出入口の床面Ｆに埋設された収納凹部体２の開口を塞ぐように左右に隣接する複数の防水扉３を備え、各防水扉３の基部３ａは収納凹部体２に設けたヒンジ装置４に連結され、収納凹部体２に設けた起倒装置５によって収納凹部体２の開口を閉塞する状態（倒伏位置Ａ）から前記出入口を閉塞する状態（起立位置Ｂ）に回動させるようになっている。収納凹部体２の開口部上方には縁材６が取り付けられている。収納凹部体２の前部内側には水平方向にシール部材７が取り付けられている。そのシール部材７に起立位置Ａにある各防水扉３の基部３ａの上面（表面）を当接させるようになっている。また、収納凹部体２の左右端には、防水扉３が起立位置Ｂで当接するシール材８付きの扉枠９が立設されている。右側の防水扉３には、連動機構１０を介して閉鎖部材１１（ゴムブロック）が設置されている。
【０００７】
連動機構１０は、防水扉３の起立動作に連動して起立位置Ｂにある隣接する防水扉３間の隙間ｔに閉鎖部材１１を押付け、前記隙間ｔからゴムブロック１１を防水扉３の表面側に突出させ、その第１突出部１１ａを収納凹部体２に設けたシール部材７に押圧することで、隣接する防水扉３間の下方にある隙間ｔとシール部材７との間をシールするように構成されている。また、倒伏時には連動機構１０によって閉鎖部材１１が前記隙間ｔから離れるようになっている。前記収納凹部体２に設けたシール部材７は、隣接する防水扉３間の隙間ｔに対応する連装部分に位置される高硬度材から成る硬質シール部材７Ａと、連装部分以外に位置され、高硬度材より低硬度の低硬度材から成る軟質シール部材７Ｂとから構成されている。尚、本実施形態では、前記高硬度の硬質シール部材７Ａは、低硬度の軟質シール部材７Ｂのシール厚み方向中間位置に硬質ゴムＧを装着して構成されている。
【０００８】
上記のように、収納凹部体２に設けたシール部材７を、隣接する防水扉３間の隙間ｔに対応する連装部分に位置される高硬度材から成る硬質シール部材７Ａと、連装部分以外に位置され、高硬度材より低硬度の低硬度材から成る軟質シール部材７Ｂとから構成することで、連装部分から防水扉３の裏側へ突出する第２突出部７ａに生じる反発力が高まり、従来のように、ゴムブロック１１による第１突出部１１ａが第２突出部７ａを押戻すことがないので、第１突出部１１ａと第２突出部７ａとを確実に密着させることができる。また、高硬度の硬質シール部材７Ａは、低硬度の軟質シール部材７Ｂのシール厚み方向中間位置に硬質ゴムＧを装着して構成されるので、既存のシール部材７の連装部分を簡単な構成で安価に高硬度材とすることができる。
【図面の簡単な説明】
【０００９】
【図１】本発明の防水扉装置を示す平面図である。
【図２】図１のＩＩ−ＩＩ線断面図である。
【図３】防水扉を倒伏位置から起立位置に回動させた状態を示す図である。
【図４】図３のＩＶ−ＩＶ線断面図であって、防水扉間の連装部分付近を示す図である。
【図５】図４のＶ視図である。
【図６】従来の防水扉間の隙間のシールを示す図である。
【符号の説明】
【００１０】
１      防水扉装置
２      収納凹部体
３      防水扉
３ａ    基部
５      起倒装置
７      シール部材
７Ａ      硬質シール部材
７Ｂ      軟質シール部材
１１      ゴムブロック
Ａ      倒伏位置
Ｂ      起立位置
Ｇ      硬質ゴム
ｔ      隙間
【図１】
0004888727.tif 000002
【図２】
0004888727.tif 000003
【図３】
0004888727.tif 000004
【図４】
0004888727.tif 000005
【図５】
0004888727.tif 000006
【図６】
0004888727.tif 000007